(57)【要約】      （修正有）【課題】プラントでイベントが発生した際に、プラント監視画面を添付したイベント発生情報を携帯端末に適正に送信することが可能なプラント監視支援システムおよびプラント監視支援方法を提供する。【解決手段】実施形態によればプラント監視支援システムは、監視画面情報表示部１５１と監視画面情報保存部１５２と監視画面情報変換部１６５と電子メール送信部１７４とを備える。監視画面情報表示部は、プラント内の機器の状態をグラフィカルに表示するためのグラフィック監視画面情報を表示する。監視画面情報保存部は、プラント内においてイベントが発生したときに、表示されたグラフィック監視画面情報を保存する。監視画面情報変換部は、保存されたグラフィック監視画面情報を、より情報量の少ない送信用監視画面情報に変換する。電子メール送信部は、送信用監視画面情報を添付した通報用電子メール情報を作成し、所定の携帯端末に送信する。【選択図】図１
2013186715.tif 000002
【特許請求の範囲】
【請求項１】
プラント内の機器の配置情報および該当する機器の状態を示す機器データをグラフィカルに表示するためのグラフィック監視画面情報を生成して表示する監視画面情報表示部と、
プラント内においてイベントが発生したときに、前記監視画面情報表示部に表示されたグラフィック監視画面情報を保存する監視画面情報保存部と、
前記監視画面情報保存部で保存されたグラフィック監視画面情報を、より情報量の少ない送信用監視画面情報に変換する監視画面情報変換処理部と、
前記送信用監視画面情報を添付した、前記イベントの発生を通報するための通報用電子メール情報を作成し、ネットワークを介して接続された所定の携帯端末に送信する電子メール送信部と
を備えることを特徴とするプラント監視支援システム。
【請求項２】
前記監視画面情報変換処理部は、前記グラフィック監視画面情報の各ピクセルの、色の３原色情報を要素とする３次元情報から、予め設定された色調補正関数を用いて１次元情報を生成し、この１次元情報から画像情報を復元することにより、前記グラフィック監視画面情報を前記送信用監視画面情報に変換する
ことを特徴とする請求項１に記載のプラント監視支援システム。
【請求項３】
前記電子メール送信部が送信する通報用電子メールには、前記イベントの発生レベルを示す情報が含まれる
ことを特徴とする請求項１または２に記載のプラント監視支援システム。
【請求項４】
プラント監視支援装システムが、
プラント内の機器の配置情報および該当する機器の状態を示す機器データをグラフィカルに表示するためのグラフィック監視画面情報を生成して表示するステップと、
プラント内においてイベントが発生したときに、前記表示されたグラフィック監視画面情報を保存するステップと、
前記保存されたグラフィック監視画面情報を、より情報量の少ない送信用監視画面情報に変換するステップと、
前記送信用監視画面情報を添付した、前記イベントの発生を通報するための通報用電子メール情報を作成し、ネットワークを介して接続された所定の携帯端末に送信するステップと
を有することを特徴とするプラント監視支援方法。
【発明の詳細な説明】
【技術分野】
【０００１】
本発明の実施形態は、プラント監視支援システムおよびプラント監視支援方法に関する。
【背景技術】
【０００２】
従来、プラントの稼動状態は、遠隔に設置されたプラント監視装置で行っている。そして、プラント内でイベントが発生するとプラント監視装置でこのイベントの情報を検知し、イベントの発生時刻、発生場所、監視信号の名称等のイベント発生情報を含む電子メールを生成して現場の作業員が携帯する端末に送信して通知する。
【０００３】
イベント発生情報を受信した端末ではこのイベント情報が出力され、端末を携帯する作業員はこのイベント発生情報を閲覧してイベントの発生を認識し、対応処理を行うことができる。
【０００４】
この処理では、電子メールに記載されたイベント発生に関するテキスト情報によりイベントの内容が作業員に通知されるが、当該プラントに関する知識が浅い作業員にはイベントの発生場所や状況を認識しづらいことがある。
【０００５】
そこで、送信する電子メールに、イベントが発生した際のプラント監視画面を画像情報として添付する技術が考えられる。
【０００６】
イベント発生情報にプラント監視画面の画像情報が添付されることにより、閲覧した作業員はイベントの発生場所、状況を把握しやすくなる。
【先行技術文献】
【特許文献】
【０００７】
【特許文献１】特開２００７−２３３５６７号公報
【発明の概要】
【発明が解決しようとする課題】
【０００８】
しかし、電子メールに添付する画像情報として、プラント監視画面のハードコピーのイメージ画像情報を使用すると、監視画面のイメージ画像情報は例えば884pixel×1843pixelの解像度でカラーを使用しているため、電子メールに添付するには規定の情報量をオーバーし電子メールが送信エラーとなる可能性がある。
【０００９】
これを回避するため、電子メールに添付するイメージ画像情報のキャンバスを縮小することで情報量を低減させる方法があるが、イメージ画像情報のキャンバスを縮小すると画像情報内の文字が潰れたり不鮮明になったりすることがあり、作業員が情報を適切に把握することができない場合があるという問題があった。
【００１０】
本発明は上記事情に鑑みてなされたものであり、プラントでイベントが発生した際に、プラント監視画面を添付したイベント発生情報を、携帯端末に適正に送信することが可能なプラント監視支援システムおよびプラント監視支援方法を提供することを目的とする。
【課題を解決するための手段】
【００１１】
上記目的を達成するための実施形態によればプラント監視支援システムは、監視画面情報表示部と監視画面情報保存部と監視画面情報変換処理部と電子メール送信部とを備える。監視画面情報表示部は、プラント内の機器の状態をグラフィカルに表示するためのグラフィック監視画面情報を表示する。監視画面情報保存部は、プラント内においてイベントが発生したときに、表示されたグラフィック監視画面情報を保存する。監視画面情報変換処理部は、保存されたグラフィック監視画面情報を、より情報量の少ない送信用監視画面情報に変換する。電子メール送信部は、送信用監視画面情報を添付した通報用電子メール情報を作成し、所定の携帯端末に送信する。
【図面の簡単な説明】
【００１２】
【図１】一実施形態によるプラント監視支援システムの構成を示すブロック図である。
【図２】一実施形態によるプラント監視支援システムの動作を示すシーケンス図である。
【図３】一実施形態によるプラント監視支援システムの監視制御装置に保持されるイベント信号テーブルの一例を示す表である。
【図４】一実施形態によるプラント監視支援システムの画像処理装置で生成される通報リストの一例を示す表である。
【図５】一実施形態によるプラント監視支援システムの監視制御装置で保存されるグラフィック監視画面情報のイメージサイズを示す説明図である。
【図６】一実施形態によるプラント監視支援システムの画像処理装置でグラフィック監視画面情報が送信用監視画面情報に変換されるときの動作を示すフローチャートである。
【図７】（ａ）は、一実施形態によるプラント監視支援システムの画像処理装置で生成されるグラフィック監視画面情報を示す３次元情報の一例を示す説明図であり、（ｂ）は、一実施形態によるプラント監視支援システムの画像処理装置で生成されるグラフィック監視画面情報を示す１次元情報の一例を示す説明図である。
【図８】一実施形態によるプラント監視支援システムのイベント通報装置で通報用電子メールが生成されるときの動作を示すフローチャートである。
【図９】一実施形態によるプラント監視支援システムの携帯端末で通報用電子メールが表示された状態を示す画面表示図である。
【発明を実施するための形態】
【００１３】
〈一実施形態によるプラント監視支援システムの構成〉
本発明の一実施形態によるプラント監視支援システムの構成について、図１を参照して説明する。
【００１４】
本実施形態によるプラント監視支援システム１には、プラント内の機器に対する監視制御情報の送受信に用いる制御系ＬＡＮ１１、およびプラント内の機器に関する監視情報の処理に用いる情報系ＬＡＮ１２が構築され、制御系ＬＡＮ１１に接続されたプラント制御装置（ＣＴＲ）１３−１〜１３−３と、制御系ＬＡＮ１１および情報系ＬＡＮ１２に接続されたデータ管理装置（ＳＶＳ）１４および監視制御装置１５と、情報系ＬＡＮ１２に接続された画像処理装置１６と、画像処理装置１６に接続されたイベント通報装置１７と、イベント通報装置１７に公衆回線等のネットワーク１８を介して接続された携帯端末１９とを備える。制御系ＬＡＮ１１および情報系ＬＡＮ１２は、例えばイーサネット（登録商標）で構築される。
【００１５】
プラント制御装置１３−１〜１３−３は、プラント内のそれぞれ接続された各機器の状態を示す機器データを取得するとともに、各機器の制御を行う。
【００１６】
データ管理装置１４は、プラント制御装置１３−１〜１３−３で取得された各機器データを取得して記憶する機器データ記憶部１４１と、記憶された機器データに故障やトラブル等のイベントの発生を示すイベント信号が含まれるか否かを監視し、イベント信号が含まれているときにこれを検知するイベント信号検知部１４２と、イベント信号検知部１４２でイベント信号が検知された際に、当該イベント信号にイベントの発生日時情報を付加したイベント情報を生成して保存するイベント情報保存部１４３とを有する。
【００１７】
監視制御装置１５は、データ管理装置１４の機器データ記憶部１４１に記憶された機器データを用いて、プラント内の機器の配置情報および該当する機器の状態を示す機器データをグラフィカルに表示するためのグラフィック監視画面情報を生成して表示する監視画面情報表示部１５１と、表示したグラフィック監視画面情報からイベントの発生が検知されたときに、表示しているグラフィック監視画面情報を保存する監視画面情報保存部１５２とを有する。
【００１８】
画像処理装置１６は、データ管理装置１４のイベント情報保存部１４３に保存されたイベント情報を取得するイベント情報取得部１６１と、取得されたイベント情報のイベント発生日時情報に対応するグラフィック監視画面情報を監視制御装置１５の監視画面情報保存部１５２から取得する監視画面情報取得部１６２と、取得したグラフィック監視画面情報のファイル名を、イベント情報の内容を付加したファイル名に変更するファイル名変更部１６３と、イベント情報取得部１６１で取得したイベント情報と監視画面情報取得部１６２で取得したグラフィック監視画面情報のファイル名とファイル名変更部１６３で変更されたグラフィック監視画面情報の変更後ファイル名とが対応付けられた通報リスト情報を生成する通報リスト情報生成部１６４と、ファイル名変更部１６３でファイル名が変更されたグラフィック監視画面情報を、より情報量の少ない送信用監視画面情報に変換する監視画面情報変換部１６５とを有する。
【００１９】
イベント通報装置１７は、画像処理装置１６の監視画面情報変換部１６５で変換された送信用監視画面情報を取得する送信用監視画面情報取得部１７１と、通報リスト情報生成部１６４で生成された通報リスト情報を取得する通報リスト情報取得部１７２と、取得した通報リスト情報に含まれる変更後ファイル名に該当する送信用監視画面情報が、送信用監視画面情報取得部１７１で取得されているか否かを確認する監視画面情報取得確認部１７３と、監視画面情報取得確認部１７３で確認済みの送信用監視画面情報を添付した、イベントの発生を通報するための通報用電子メール文書を作成し、所定の携帯端末１９に送信する電子メール送信部１７４とを有する。
【００２０】
携帯端末１９はプラント内の機器を管理する作業員により携帯されるものであり、イベント通報装置１７から送信された電子メールをネットワーク１８を介して受信し、電子メール文書および添付された送信用監視画面情報を表示する。
【００２１】
〈一実施形態によるプラント監視支援システムの動作〉
次に、本実施形態におけるプラント監視支援システム１の動作について図２のシーケンス図を参照して説明する。
【００２２】
まず、プラント制御装置１３−１〜１３−３において、それぞれ接続された各機器から機器の状態を示す機器データが取得され、制御系ＬＡＮ１１を介してデータ管理装置１４に送信される。
【００２３】
データ管理装置１４では、プラント制御装置１３−１〜１３−３から送信された機器データが機器データ記憶部１４１で取得され、記憶される（Ｓ１）。
【００２４】
機器データ記憶部１４１に記憶された機器データは情報系ＬＡＮ１２を介して監視制御装置１５に送信され、これらの機器データに基づいて、プラントの機器の配置情報および該当する機器の状態を示す機器データをグラフィカルに表示するためのグラフィック監視画面情報が生成され、監視画面情報表示部１５１で表示される（Ｓ２）。
【００２５】
また、データ管理装置１４の機器データ記憶部１４１に記憶された機器データがイベント信号検知部１４２で監視され、機器データから故障やトラブル等のイベントの発生が検知されると、このイベントの発生日時情報とイベントが発生した信号を識別する信号識別情報とからなるイベント情報、例えば「2011-01-01  01:11:30  aaa.DI」が生成されてイベント情報保存部１４３に保存される（Ｓ３）。生成されたイベント情報は、情報系ＬＡＮ１２を介して画像処理装置１６に送信される。
【００２６】
監視制御装置１５では、ステップＳ２において監視画面情報表示部１５１に表示されたグラフィック監視画面情報が監視され、この画面情報からイベントの発生が検知されたときに、表示されているグラフィック監視画面情報が監視画面情報保存部１５２に保存される（Ｓ４）。グラフィック監視画面情報からイベントの発生が検知されるときの処理について説明する。
【００２７】
監視制御装置１５の監視画面情報保存部１５２には、予め監視画面情報表示部１５１に表示される監視対象のグラフィック監視画面情報ごとの、イベント信号として認識する画面情報内の信号の識別情報を格納したイベント信号テーブルが保持されている。
【００２８】
イベント信号テーブルの一例を、図３に示す。図３のイベント信号テーブルでは、グラフィック監視画面情報「受配電設備.xml」においてイベント信号と認識する画面情報内の信号の識別情報として「aaa.DI」、「bbb.DI」、「ccc.DI」・・・「bbb.PV」が格納され、グラフィック監視画面情報「沈砂池設備.xml」においてイベント信号と認識する信号の識別情報として「yyy.DI」、「zzz.PV」が格納されている。
【００２９】
このようなイベント信号テーブルが保持されていた状態で、取得された機器データを用いて例えばグラフィック監視画面情報「受配電設備.xml」が監視画面情報表示部１５１に表示されているときに、監視画面情報保存部１５２において当該グラフィック監視画面情報内にイベント信号テーブルに格納された信号「aaa.DI」が含まれると判断されたときには、この信号がイベント信号であると認識され、イベントが発生したことが検知される。
【００３０】
イベントが発生したことが検知されると、この検知されたときに監視画面情報表示部１５１に表示されているグラフィック監視画面情報が、当該時の日時情報とともに保存される。ここで保存されるグラフィック監視画面情報は例えばJPEGファイルで生成され、ファイル名として該当する監視対象を示す「受配電設備.jpg」が付せられる。
【００３１】
また画像処理装置１６では、データ管理装置１４から送信されたイベント情報がイベント情報取得部１６１で取得され、このイベント情報の発生日時情報に該当するグラフィック監視画面情報が、監視画面情報取得部１６２において監視制御装置１５の監視画面情報保存部１５２から取得される（Ｓ５）。
【００３２】
次に、画像処理装置１６のファイル名変更部１６３において、監視画面情報取得部１６２で取得されたグラフィック監視画面情報のファイル名が、イベント情報の内容を付加したファイル名に変更される（Ｓ６）。
【００３３】
例えば、監視画面情報取得部１６２で取得されたグラフィック監視画面情報のファイル名「受変電設備.jpg」が、これに対応するイベント情報の発生日時情報「2011-01-01  01:11:30」が付加されたファイル名「20110101-011130-受変電設備.jpg」に変更される。
【００３４】
次に通報リスト情報生成部１６４において、イベント情報取得部１６１で取得したイベント情報と監視画面情報取得部１６２で取得したグラフィック監視画面情報のファイル名とファイル名変更部１６３で変更されたグラフィック監視画面情報の変更後ファイル名とが対応付けられた通報リスト情報が生成される（Ｓ７）。生成された通報リスト情報の一例を、図４に示す。このように生成された通報リスト情報は、イベント通報装置１７に送信される。
【００３５】
次に監視画面情報変換部１６５において、ファイル名変更部１６３でファイル名が変更されたグラフィック監視画面情報が、より情報量の少ない送信用監視画面情報に変換される（Ｓ８）。
【００３６】
監視制御装置１５の監視画面情報保存部１５２で保存されるグラフィック監視画面情報であるJPEGファイルのイメージサイズは、例えば図５に示すように、縦:884（ピクセル）×横:1,843（ピクセル）＝合計:1,629,212（ピクセル）である。
【００３７】
このようなサイズのグラフィック監視画面情報をより情報量の少ない送信用監視画面情報を変換するときの処理について、図６のフローチャートを参照して説明する。
【００３８】
このイメージサイズのグラフィック監視画面情報が、１行目の１列目から１ピクセルずつＲＧＢ成分が分解され、１行目の分解処理が完了すると２行目の１列目から分解処理が行われる（Ｓ１１）。そして、各ピクセルに関し、分解処理により得られたＲ成分、Ｇ成分、Ｂ成分をカンマで区切った３次元情報のファイル、例えば（128 , 128 , 128）が生成される（Ｓ１２）。このファイルは、例えば図７（ａ）に示すように、ピクセル数：１，６２９，２１２についてそれぞれ色の３原色情報を示すＲ成分、Ｇ成分、Ｂ成分の３つを要素として構成されている。このファイルの総情報数量は、１，６２９，２１２（ピクセル）×３（要素）＝４，８８７，６３６である。
【００３９】
次に、下記式（１）の色調補正関数を用いて、各ピクセルのＲ成分、Ｇ成分、Ｂ成分で構成される３次元情報のファイルから、各ピクセルの１次元情報（Ｔ）のファイルが生成される（Ｓ１３）。
【００４０】
［数１］
T=R*0.299+G*0.144+B*0.587      （１）
例えば、３次元情報（128 , 128 , 128）から１次元情報（131）が算出され、図７（ａ）に示す３次元情報のファイルからは、図７（ｂ）に示すような１次元情報のファイルが生成される。この１次元情報のファイルの総情報数量は、１，６２９，２１２（ピクセル）×１（要素）＝１，６２９，２１２である。
【００４１】
そして、生成された１次元情報のファイルから、Ｊａｖａ（登録商標）言語の関数draw Image( )が用いられて画像情報が復元されることにより、送信用監視画面情報として変換される（Ｓ１４）。この１次元情報のファイル（情報数量：１，６２９，２１２）から復元された送信用監視画面情報は、３次元情報のファイル（情報数量：４，８８７，６３６）により構成されているグラフィック監視画面情報よりも十分に情報量が低減されているが、画像情報内の文字が潰れたり不鮮明になったりすることはない。
【００４２】
図２に戻り、画像処理装置１６の監視画面情報変換部１６５において変換された送信用監視画面情報は、イベント通報装置１７に送信される。
【００４３】
イベント通報装置１７では、画像処理装置１６から送信された送信用監視画面情報が送信用監視画面情報取得部１７１で取得されるとともに、通報リスト情報生成部１６４から送信された通報リスト情報が通報リスト情報取得部１７２で取得される。
【００４４】
そして監視画面情報取得確認部１７３において、取得した通報リスト情報に含まれる変更後ファイル名に該当する送信用監視画面情報が、送信用監視画面情報取得部１７１で取得されているか否かが確認される（Ｓ９）。
【００４５】
監視画面情報取得確認部１７３において送信用監視画面情報が取得されていることが確認されるとさらに、通報リスト情報に含まれるイベント情報の信号識別情報に基づいて通報用電子メールが生成される。通報用電子メールの生成処理について、図８のフローチャートを参照して説明する。
【００４６】
イベント通報装置１７には予めイベント情報の信号識別情報ごとのイベント発生レベル（重故障、中故障、または軽故障）を示す情報が保持されている。
【００４７】
電子メール送信部１７４では、送信用監視画面情報の取得が確認されると（Ｓ２１）、これに対応するイベント情報内のイベント発生レベルが重故障であるか否かが判定される（Ｓ２２）。ここで重故障であると判定されると（Ｓ２２の「YES」）、通報リストの情報が用いられ、当該イベントの発生日時情報、信号識別情報から特定される設備名称情報、発生レベル（重故障）情報等を含む電子メール文書が作成される（Ｓ２３）。
【００４８】
またステップＳ２２において重故障ではないと判定されると（Ｓ２２の「NO」）、さらにイベントの発生レベルが中故障であるか否かが判定される（Ｓ２４）。ここで中故障であると判定されると（Ｓ２４の「YES」）、通報リストの情報が用いられ、当該イベントの発生日時情報、信号識別情報から特定される設備名称情報、発生レベル（中故障）情報等を含む電子メール文書が作成される（Ｓ２５）。
【００４９】
またステップＳ２４において中故障ではないと判定されると（Ｓ２４の「NO」）、さらにイベントの発生レベルが軽故障であるか否かが判定される（Ｓ２６）。ここで軽故障であると判定されると（Ｓ２６の「YES」）、通報リストの情報が用いられ、当該イベントの発生日時情報、信号識別情報から特定される設備名称情報、発生レベル（軽故障）情報等を含む電子メール文書が作成される（Ｓ２７）。
【００５０】
またステップＳ２６において軽故障ではないと判定されると（Ｓ２６の「NO」）、現在の機器の状態を通知するための電子メール文書が作成される（Ｓ２８）。
【００５１】
次に、ステップＳ２３、Ｓ２５、Ｓ２６、またはＳ２８で生成された電子メール文書に、送信用監視画面情報取得部１７１で取得された送信用監視画面情報が添付され、通報用電子メールとして生成される（Ｓ２９）。
【００５２】
図２に戻り、生成された通報用電子メールは、ネットワーク１８を介して所定の携帯端末１９に送信される（Ｓ１０）。送信先の携帯端末１９は、イベントの信号識別情報と発生レベルとに基づいて予め設定されている。
【００５３】
通報用電子メールが受信された携帯端末１９では、図９に示すように電子メール文書および添付された監視画面情報が表示される。監視画面情報上では、イベントが発生した箇所（故障箇所）が矢印で示されている。
【００５４】
以上の本実施形態によれば、プラントでイベントが発生した際にプラント監視画面を添付したイベント発生情報を、プラント内の機器を管理する作業員が携帯する端末に適正に送信することができ、イベントに対する作業効率を向上させることができる。
【００５５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
１…プラント監視支援システム
１１…制御系ＬＡＮ
１２…情報系ＬＡＮ
１３−１〜１３−３…プラント制御装置
１４…データ管理装置
１５…監視制御装置
１６…画像処理装置
１７…イベント通報装置
１８…ネットワーク
１９…携帯端末
１４１…機器データ記憶部
１４２…イベント信号検知部
１４３…イベント情報保存部
１５１…監視画面情報表示部
１５２…監視画面情報保存部
１６１…イベント情報取得部
１６２…監視画面情報取得部
１６３…ファイル名変更部
１６４…通報リスト情報生成部
１６５…監視画面情報変換部
１７１…送信用監視画面情報取得部
１７２…通報リスト情報取得部
１７３…監視画面情報取得確認部
１７４…電子メール送信部
【図１】
2013186715.tif 000003
【図２】
2013186715.tif 000004
【図３】
2013186715.tif 000005
【図４】
2013186715.tif 000006
【図５】
2013186715.tif 000007
【図６】
2013186715.tif 000008
【図７】
2013186715.tif 000009
【図８】
2013186715.tif 000010
【図９】
2013186715.tif 000011